(57)【要約】【課題】親機への着信に対して当該親機に誤載置されている無線子機で応答できるようにする。【解決手段】親機３０の親機制御部３９は、親機３０Ａ，３０Ｂからの無線子機の子機オフフック通知および載置なし検出通知に基づき、その子機オフフック通知に対する操作判定を行い、載置なし検出通知の通知元親機３０Ｂへ着信中であった場合には、子機オフフック通知が載置なし検出通知の通知元親機３０Ｂへの着信に対する応答操作を示すと判断し、載置なし検出通知の通知元親機３０Ｂへの着信を子機オフフック通知の通知元親機３０Ａに対応する無線子機４０Ａへ接続する。また、親機３０Ａからの子機オフフック通知に基づき、その子機オフフック通知に対する操作判定を行い、そのとき着信中の親機３０Ｂへの着信を子機オフフック通知の通知元親機３０Ａに対応する無線子機４０Ａへ接続する。【選択図】        図１
2004253862.tif 000002
【特許請求の範囲】
【請求項１】
網からの電話回線に接続された主装置と、この主装置に内線伝送路を介して収容された複数の内線電話機とを備えるとともに、前記内線電話機として、前記主装置に前記内線伝送路を介して収容される親機と無線回線を介して対となる前記親機に接続される無線子機とからなり、前記親機に前記無線子機を載置する載置場所が設けられた無線電話機を複数有し、前記電話回線と前記内線電話機との間を主装置で交換接続する電話システムであって、
前記無線子機は、利用者による前記親機からの当該無線子機の取り上げをオフフック状態として検出する状態検出部と、この状態検出部でのオフフック状態の検出に応じて前記親機へ無線回線を介してオフフック検出を通知する無線子機制御部とを備え、
前記親機は、利用者による当該親機への前記無線子機の載置有無を検出する載置検出部と、この載置検出部での載置なし検出に応じて前記主装置へ前記内線伝送路を介して載置なし検出を通知するとともに、前記無線回線を介した前記無線子機からの前記オフフック検出の通知に応じて前記主装置へ前記内線伝送路を介して子機オフフックを通知する親機制御部とを備え、
前記主装置は、前記内線伝送路を介して前記載置なし検出通知および前記子機オフフック通知を受信した場合、前記載置なし検出通知の通知元親機が前記電話回線から着信中の際には、当該着信へ応答してその電話回線と前記載置なし検出通知の通知元親機との間を接続する制御部を備えることを特徴とする電話システム。
【請求項２】
網からの電話回線に接続された主装置と、この主装置に内線伝送路を介して収容された複数の内線電話機とを備えるとともに、前記内線電話機として、前記主装置に前記内線伝送路を介して収容される親機と無線回線を介して対となる前記親機に接続される無線子機とからなる無線電話機を複数有し、前記電話回線と前記内線電話機との間を主装置で交換接続する電話システムであって、
前記無線子機は、利用者による前記親機からの当該無線子機の取り上げをオフフック状態として検出する状態検出部と、この状態検出部でのオフフック状態の検出に応じて前記親機へ無線回線を介してオフフック検出を通知する無線子機制御部とを備え、
前記親機は、前記無線回線を介した前記無線子機からの前記オフフック検出の通知に応じて前記主装置へ前記内線伝送路を介して子機オフフックを通知する親機制御部を備え、
前記主装置は、前記内線伝送路を介して受信した前記子機オフフック通知が前記着信への応答操作を示す場合は、前記子機オフフック通知の通知元親機を介して当該親機と対となる無線子機へ前記着信を接続する制御部を備えることを特徴とする電話システム。
【請求項３】
請求項２に記載の電話システムにおいて、
前記主装置は、前記各無線子機がどの親機に載置されているかを示す無線子機管理情報を記憶する記憶部を有し、
前記主装置の制御部は、前記記憶部の無線子機管理情報を参照して、前記子機オフフック通知の通知元親機と対となる無線子機が載置されていた親機を検索し、その検索された親機が着信中である場合には、前記子機オフフック通知が前記検索された親機に対する着信への応答操作を示すと判定することを特徴とする電話システム。
【発明の詳細な説明】
【０００１】
【発明の属する技術分野】
本発明は、電話システムに関し、特に内線電話機として、親機と無線子機とからなる無線電話機を有する電話システムに関するものである。
【０００２】
【従来の技術】
網からの電話回線に接続された主装置と、この主装置に内線収容された複数の内線電話機とからなり、電話回線と内線電話機との間を主装置で交換接続するボタン電話装置などの電話システムでは、内線電話機の一部または全部に無線電話機を用いる場合がある（例えば、特許文献１など参照）。
【０００３】
この種の無線電話機は、親機とその親機の上に載置されるハンドセット型の無線子機とから構成されている。一般的な内線電話機では、当該内線電話機とハンドセットとがカールコードにより有線で接続されているが、この種の無線電話機では、親機と無線子機との間が、予め設定された当該無線電話機に固有のシステムＩＤを用いた無線回線で接続されている。親機は、有線の内線伝送路で主装置と接続されており、主装置とデータ通信を行うことにより、一般的な内線電話機と同様の電話機能を提供する。
【０００４】
なお、出願人は、本明細書に記載した先行技術文献情報で特定される先行技術文献以外には、本発明に関連する先行技術文献を出願時までに発見するには至らなかった。
【０００５】
【特許文献１】
特開２０００−３５０２４３号公報
【０００６】
【発明が解決しようとする課題】
このような電話システムで用いられている無線電話機では、親機に無線子機を載置して充電などを行う充電台すなわち載置場所が設けられており、通常、未使用時に親機の載置場所に無線子機が載置されるものの、無線子機が親機と無線接続されているため、必要に応じて親機からある程度離れた場所へ無線子機を持ち運ぶことができる。
したがって、例えば、無線子機での通話の内容に応じて利用者が他の部屋へ移動し、その移動先の部屋に設置されている他の親機に無線子機が載置されていない場合、終話に応じてその無線子機を移動先の親機上へ誤って載置する場合もある。
【０００７】
従来の電話システムでは、無線子機の誤載置が発生した場合、電話システムの主装置は、各無線子機が対となる親機に載置されていることを前提として制御しているため、次のような不具合が生ずる。
例えば、図７では、親機Ａおよび無線子機Ａからなる無線電話機Ａと、親機Ｂおよび無線子機Ｂからなる無線電話機Ｂとが主装置に接続されており、無線子機Ａが親機Ｂ上に誤載置されているものとする（ステップ２００）。
この状態で網側から無線電話機Ｂに対する個別着信があった場合（ステップ２０１）、主装置は無線電話機Ｂに対応する親機Ｂへ着信を通知し（ステップ２０２）、これに応じて親機Ｂで着信表示が行われる（ステップ２０３）。
【０００８】
ここで、利用者が、親機Ｂへの着信に応答するため、親機Ｂのハンドセット、すなわち親機Ｂ上に誤載置されている無線子機Ａを取り上げた場合（ステップ２１０）、その無線子機Ａがオフフックを検出し（ステップ２１１）、元の親機Ａとの無線回線を介して親機Ａへオフフックを通知する（ステップ２１２）。
これに応じて、親機Ａでは、無線子機Ａのオフフックを主装置へ通知し（ステップ２１３）、この通知に応じて、主装置は、無線電話機Ａには着信がないことから、無線子機Ａでのオフフックを発信要求と判断し、いずれか空き状態の電話回線を捕捉する（ステップ２１４）。なお、空き状態の電話回線がない場合、あるいは電話回線が１つの場合、主装置から親機Ａを介して無線子機Ａへビジートーンが通知される。
【０００９】
したがって、利用者が、親機Ｂへの着信へ応答しようとして、親機Ｂのハンドセットすなわち親機Ｂ上に誤載置されている無線子機を取り上げたにもかかわらず外線発信状態あるいはビジー状態となるともに、親機Ｂへの着信表示が継続され、利用者は親機Ｂへの着信に応答できないという問題点がある。
本発明はこのような課題を解決するためのものであり、親機への着信に対して当該親機に誤載置されている無線子機で応答できる電話システムを提供することを目的としている。
【００１０】
【課題を解決するための手段】
このような目的を達成するために、本発明にかかる電話システムは、網からの電話回線に接続された主装置と、この主装置に内線伝送路を介して収容された複数の内線電話機とを備えるとともに、内線電話機として、主装置に内線伝送路を介して収容される親機と無線回線を介して対となる親機に接続される無線子機とからなり、親機に無線子機を載置する載置場所が設けられた無線電話機を複数有し、電話回線と内線電話機との間を主装置で交換接続する電話システムであって、無線子機に、利用者による親機からの当該無線子機の取り上げをオフフック状態として検出する状態検出部と、この状態検出部でのオフフック状態の検出に応じて親機へ無線回線を介してオフフック検出を通知する無線子機制御部とを設けるとともに、親機に、利用者による当該親機への無線子機の載置有無を検出する載置検出部と、この載置検出部での載置なし検出に応じて主装置へ内線伝送路を介して載置なし検出を通知するとともに、無線回線を介した無線子機からのオフフック検出の通知に応じて主装置へ内線伝送路を介して子機オフフックを通知する親機制御部とを設け、主装置の制御部で、内線伝送路を介して載置なし検出通知および子機オフフック通知を受信した場合、載置なし検出通知の通知元親機が電話回線から着信中の際には、当該着信へ応答してその電話回線と載置なし検出通知の通知元親機との間を接続するようにしたものである。
【００１１】
また、本発明にかかる他の電話システムは、網からの電話回線に接続された主装置と、この主装置に内線伝送路を介して収容された複数の内線電話機とを備えるとともに、内線電話機として、主装置に内線伝送路を介して収容される親機と無線回線を介して対となる親機に接続される無線子機とからなる無線電話機を複数有し、電話回線と内線電話機との間を主装置で交換接続する電話システムであって、無線子機に、利用者による親機からの当該無線子機の取り上げをオフフック状態として検出する状態検出部と、この状態検出部でのオフフック状態の検出に応じて親機へ無線回線を介してオフフック検出を通知する無線子機制御部とを設けるとともに、親機に、無線回線を介した無線子機からのオフフック検出の通知に応じて主装置へ内線伝送路を介して子機オフフックを通知する親機制御部を設け、主装置の制御部で、内線伝送路を介して受信した子機オフフック通知が着信への応答操作を示す場合は、子機オフフック通知の通知元親機を介して当該親機と対となる無線子機へ着信を接続するようにしたものである。
【００１２】
また、主装置に、各無線子機がどの親機に載置されているかを示す無線子機管理情報を記憶する記憶部を設け、主装置の制御部で、記憶部の無線子機管理情報を参照して、子機オフフック通知の通知元親機と対となる無線子機が載置されていた親機を検索し、その検索された親機が着信中である場合には、子機オフフック通知が検索された親機に対する着信への応答操作を示すと判定するようにしてもよい。
【００１３】
【発明の実施の形態】
次に、本発明の実施の形態について図面を参照して説明する。
図１は本発明の一実施の形態にかかる電話システムの構成を示すブロック図である。
この電話システムは、網からの１つ以上の電話回線１１に接続された主装置１０と、この主装置１０に内線収容された複数の無線電話機２０Ａ，２０Ｂ〜２０Ｎとから構成されており、主装置１０で、電話回線１１と無線電話機２０Ａ，２０Ｂ〜２０Ｎのいずれかの間における、例えば音声通話やデータ通信などの呼を交換接続する。
【００１４】
無線電話機２０Ａは、主装置１０と内線伝送路１７を介して接続された親機３０Ａと、この親機３０Ａと無線回線を介して接続されるハンドセット型の無線子機４０Ａとの対から構成されている。この親機３０には、無線子機４０Ａを載置して充電などを行う充電台すなわち載置場所が設けられており、通常、未使用時には親機の載置場所に無線子機が載置される。
無線電話機２０Ａでは、予め設定された当該無線電話機２０Ａに固有のシステムＩＤを用いて親機３０Ａと無線子機４０Ａとの間で無線通信が行われる。また、無線電話機２０Ｂ〜２０Ｎの構成は、無線電話機２０Ａと同様であり、それぞれ親機３０Ｂ〜３０Ｎと無線子機４０Ｂ〜４０Ｎとの対から構成されている。
本発明では、各無線電話機２０Ａ〜２０Ｎからの通知に基づき、主装置１０で各無線電話機２０Ａ〜２０Ｎにおける無線子機の載置状態を確認し、その載置状態に基づき呼制御を行うものである。
【００１５】
主装置１０には、電話回線１１を終端制御する外線インターフェース部（以下、外線Ｉ／Ｆ部という）１２、有線の内線伝送路１７を介して無線電話機２０Ａ〜２０Ｎとデータ伝送を行う内線インターフェース部（以下、内線Ｉ／Ｆ部という）１３、これら外線Ｉ／Ｆ部１２と内線Ｉ／Ｆ部１３との間を交換接続するスイッチ１４、主装置１０の各部を制御して、電話回線１１と各無線電話機２０Ａ〜２０Ｎの呼制御を行う制御部１５、および制御部１５での制御に必要な情報、例えば親機や子機の動作状態を示す管理情報１６Ａやプログラムを記憶する記憶部１６が設けられている。
特に、制御部１５は、ＣＰＵなどのマイクロプロセッサを有し、記憶部１６のプログラムを読み込んで実行することにより、上記ハードウェアと協働して各種呼制御のほか当該電話システムの各種管理処理を行う。
【００１６】
図２に親機３０（３０Ａ，３０Ｂ〜３０Ｎ）の構成例を示す。親機３０には、内線インターフェース部（以下、内線Ｉ／Ｆ部という）３１、無線インターフェース部（以下、無線Ｉ／Ｆ部という）３２、音声処理部３３、表示部３４、キー入力部３５、記憶部３６、給電部３７、載置検出部３８、および親機制御部３９が設けられている。
内線Ｉ／Ｆ部３１は、内線伝送路１７を介して主装置１０とデータ伝送を行う回路部である。無線Ｉ／Ｆ部３２は、無線回線を介して無線子機４０（４０Ａ，４０Ｂ〜４０Ｎ）とデータ通信を行う回路部である。音声処理部３３は、親機３０で無線子機すなわちハンドセットを用いずに通話を行うためのスピーカホン機能や各種報知音の生成機能を有する回路部である。
【００１７】
表示部３４は、データ伝送で主装置１０から受け取った指示に基づきＬＥＤやＬＣＤを制御して各種表示を行う回路部である。キー入力部３５は、利用者によるキー操作を検出する回路部である。記憶部３６は、親機制御部３９での処理動作に用いる各種情報やプログラムを記憶するメモリである。給電部３７は、充電端子３７Ａを介して電気的に接続された無線子機４０の電池を充電するための電力を供給する回路部である。載置検出部３８は当該親機３０に対する無線子機４０の載置有無を検出する回路部である。親機制御部３９は、ＣＰＵなどのマイクロプロセッサを有し、記憶部３６のプログラムを読み込んで実行することにより、上記ハードウェアと協働して親機３０の各部を制御する機能部である。
【００１８】
図３に無線子機４０の構成例を示す。無線子機４０には、無線インターフェース部（以下、無線Ｉ／Ｆ部という）４１、音声処理部４２、電池４３、充電部４４、状態検出部４５、記憶部４６、表示部４７、キー入力部４８、および無線子機制御部４９が設けられている。
無線Ｉ／Ｆ部４１は、無線回線を介して親機３０とデータ通信を行う回路部である。音声処理部４２は、スピーカやマイク（図示せず）を用いた音声通話機能や各種報知音の生成機能を有する回路部である。電池４３は無線子機４０の各部で用いる動作電源を蓄電する回路部である。充電部４４は、充電端子４４Ａを介して親機３０から供給された電力を電池４３へ充電する回路部である。状態検出部４５は、当該無線子機４０のオンフック／オフフックの状態すなわち載置状態を検出する回路部である。
【００１９】
記憶部４６は、無線子機制御部４９での処理動作に用いる各種情報やプログラムを記憶するメモリである。表示部４７は、データ通信で親機３０から受け取った指示に基づきＬＥＤやＬＣＤを制御して各種表示を行う回路部である。キー入力部４８は、利用者によるキー操作を検出する回路部である。無線子機制御部４９は、ＣＰＵなどのマイクロプロセッサを有し、記憶部４６のプログラムを読み込んで実行することにより、上記ハードウェアと協働して無線子機４０の各部を制御する機能部である。
【００２０】
状態検出部４５については、公知技術として、親機３０に対する無線子機４０の載置により機械的に動作する例えばフックスイッチ、あるいは電気的に動作するフォトインタラプタなど、一般的なスイッチで実現される例もあり、載置検出部３８でも同様のスイッチを用いてもよい。
また、状態検出部４５として、親機３０と無線子機４０との間で充電動作に用いる充電端子３７Ａと充電端子４４Ａとの電気的接続を検出する例もあり、載置検出部３８でも同様に電気的接続を検出するようにしてもよい。
【００２１】
この場合、充電端子３７Ａと充電端子４４Ａとの電気的接続により変化する電気量、例えば電流値や電圧値を、給電部３７や充電部４４から取り込み、その変化に応じて、親機３０に対する無線子機４０の載置有無を検出してもよい。
なお、無線子機４０の電池４３が満充電状態となった場合、親機３０から無線子機４０に対する充電電力はゼロとなる。したがって、例えば充電端子３７Ａ，４４Ａ間に常時所定値以上の電流を流しておく、あるいは所定の電位を印加しておくことにより、満充電状態であっても充電端子３７Ａと充電端子４４Ａとの電気的接続の有無を検出してもよい。
【００２２】
次に、図４を参照して、本実施の形態にかかる電話システムの動作について、誤載置状態にある親機への呼処理を例として説明する。図４は本実施の形態にかかる電話システムの動作（誤載置状態にある親機への呼処理）を示すシーケンス図である。
まず、利用者が、無線子機４０Ａと予め対として設定されている親機３０Ａ以外の親機３０Ｂへ、無線子機４０Ａを誤載置した状態で（ステップ１００）、電話回線１１から無線電話機２０Ｂを着信先とする個別着信があった場合（ステップ１０１）、主装置１０の制御部１５は、外線Ｉ／Ｆ部１２からの通知によりその個別着信を検出する。そして、内線Ｉ／Ｆ部１３から内線伝送路１７を介して、その着信先である無線電話機２０Ｂの親機３０Ｂへ着信を通知する（ステップ１０２）。なお、この親機３０Ｂが着信中状態となったことは、記憶部１６の管理情報１６Ａへ登録される。
【００２３】
親機３０Ｂの親機制御部３９は、内線Ｉ／Ｆ部３１を介して主装置１０からの着信通知を受信し、音声処理部３３を制御して着信音を出力するとともに、表示部３４のＬＥＤさらにはＬＣＤを制御して着信表示を行う（ステップ１０３）。
これに応じて、利用者は無線電話機２０Ｂへの着信を確認し、親機３０Ｂのハンドセット、この場合は無線子機４０Ａを取り上げる（ステップ１１０）。これにより、無線子機４０Ａの無線子機制御部４９は、状態検出部４５からの出力によりオフフックを検出し（ステップ１１１）、その旨を無線Ｉ／Ｆ部４１から無線回線を介して親機３０Ａへ通知する（ステップ１１２）。
【００２４】
親機３０Ａの親機制御部３９は、無線Ｉ／Ｆ部３２を介して無線子機４０Ａからのオフフックの通知を受信し、内線Ｉ／Ｆ部３１から内線伝送路１７を介して主装置１０へ子機オフフックを通知する（ステップ１１３）。
一方、親機３０Ｂの親機制御部３９は、載置検出部３８により任意の無線子機４０が取り上げられたことを載置なしとして検出し（ステップ１１４）、内線Ｉ／Ｆ部３１から内線伝送路１７を介して主装置１０へその載置なし検出を通知する（ステップ１１５）。
【００２５】
主装置１０の制御部１５では、内線Ｉ／Ｆ部１３を介して、親機３０Ａからの子機オフフック通知、および親機３０Ｂからの載置なし検出通知をそれぞれ受信し、その子機オフフック通知が着信への応答操作かどうかの操作判定を行う（ステップ１２０）。
この場合、いずれか一方の通知と、その一方の通知が受信された時点から所定時間差以内に受信された他方の通知とを組として、操作判定を行う。すなわち所定時間差以内で続けて受信された子機オフフック通知と載置なし検出通知とを判定対象とする。これにより、他の通知の組と区別できる。なお、この所定時間差は、両通知の到着時間差を許容する値として当該電話システムごとに設定すればよい。
【００２６】
この操作判定では、まず、これら通知を受信した内線伝送路１７の内線Ｉ／Ｆ部１３での収容位置に基づき、それぞれの通知の通知元を判定する。この場合には、載置なし検出通知の通知元が親機３０Ｂであると判定され、子機オフフック通知の通知元が親機３０Ａであると判定される。
なお、これら通知の通知元を判断するため、その通知に通知元を示す識別情報を格納しておいてもよい。
【００２７】
そして、記憶部１６の管理情報１６Ａを参照して、ステップ１０２で通知した着信が載置なし検出通知の通知元親機３０Ｂへの着信であり、載置なし検出通知の通知元親機３０Ｂへ着信中であることから、当該子機オフフック通知が、個別着信中の親機３０Ｂに無線子機４０Ａが誤載置されている状態で、無線子機４０Ａが取り上げられた応答操作を示すと判断し、制御部１５は、親機３０Ｂへの個別着信を無線子機４０Ａへ接続するための呼処理を開始する。
【００２８】
まず、制御部１５は、親機３０Ｂへ着信停止を通知し（ステップ１２１）、親機３０Ｂの親機制御部３９で、着信表示を停止させる（ステップ１２２）。
また、外線Ｉ／Ｆ部１２を制御して電話回線１１からの親機３０Ｂへの個別着信へ応答し（ステップ１２３）、スイッチ１４を制御してその電話回線１１の通話パスと親機３０Ａの通話パスとを接続するとともに、無線子機４０Ａと対となる親機３０Ａに対して回線接続を通知する（ステップ１２４）。
【００２９】
これに応じて、親機３０Ａの親機制御部３９は、無線Ｉ／Ｆ部３２から無線子機４０Ａへ回線接続を通知し（ステップ１２５）、無線回線を介して無線子機４０Ａとの間で通話パスを形成するとともに、その通話パスを主装置１０との間の通話パスと接続する。
これにより、無線電話機２０Ｂへの着信に対応する電話回線１１から無線子機４０Ａまでの通話パスが接続され、当該個別着信の発呼側と無線子機４０Ａとの通話が開始される（ステップ１２６）。
【００３０】
そして、その通知開始に応じて、主装置１０の制御部１５から親機３０Ｂに対し、通話相手情報、通話時間、通話料金などの情報を表示する通話中表示が適時通知され（ステップ１２７）、親機３０Ｂの親機制御部３９により、これら情報が通話中表示として表示部３４で表示される（ステップ１２８）。
【００３１】
このように、親機に、無線子機の載置有無を検出する載置検出部を設け、この載置検出部での載置なしの検出に応じてその載置なし検出を当該親機から主装置へ通知し、主装置では親機からの載置なし検出通知および無線子機の子機オフフック通知に基づき、その子機オフフック通知に対する操作判定を行い、載置なし検出通知の通知元親機へ着信中であった場合には、子機オフフック通知が載置なし検出通知の通知元親機への着信に対する応答操作を示すと判定し、載置なし検出通知の通知元親機への着信を子機オフフック通知の通知元親機に対応する無線子機へ接続するようにしたので、親機への着信をその親機に誤載置されている無線子機で応答することができる。
【００３２】
また、主装置の制御部では、操作判定を行う際、所定時間差以内に続けて受信された載置なし検出通知および子機オフフック通知を判定対象とするようにしたので、同一無線子機のオフフック操作に起因する載置なし検出通知および子機オフフック通知を、他の無線子機の操作のものと容易に識別できる。
なお、以上の説明では、親機３０Ｂへの着信として個別着信を例として説明したが、これに限定されるものではなく着信先を指定しない通常着信や内線着信についても、前述と同様に本発明を適用でき、同様の作用効果が得られる。
【００３３】
また、以上の説明では、主装置１０の制御部１５における操作判定の際、その無線子機４０Ａに対応する子機オフフック通知とほぼ同時刻に受信した載置なし検出通知の通知元として親機３０Ａを判定し、その親機３０Ａへの着信を、無線子機４０Ａに接続させる着信として判定する場合を例として説明したが、無線子機４０Ａでのオフフック操作に対する操作判定方法としては、これに限定されるものではない。
例えば、上記では電話回線１１が複数あって、複数の着信が同時に発生する場合を想定したが、電話回線１１が１つの場合には、着信も１つしか発生しない。このような場合には、無線子機４０Ａでのオフフック操作が着信への応答操作であると判定することもできる。したがって、図４におけるステップ１１４，１１５で、親機３０Ｂから主装置１０に対する載置なし検出の通知、さらには親機３０での載置検出部３８を省くこともできる。
【００３４】
また、主装置１０の制御部１５が、図５に示すような無線子機管理情報１６Ｂを記憶部１６に設けて、各無線子機４０が載置されている親機３０を管理している場合も考えられる。
このような場合には、ステップ１２０において、主装置１０の制御部１５で、その無線子機管理情報１６Ｂに基づき、子機オフフック通知に対応する無線子機４０Ａが親機３０Ｂに載置されていたことを把握できる。したがって、このような場合にも、図４におけるステップ１１４，１１５で、親機３０Ｂから主装置１０への載置なし検出の通知、さらには親機３０での載置検出部３８を省くこともできる。
【００３５】
図５は、無線子機管理情報１６Ｂの説明図であり、図５（ａ）は、無線子機管理情報の構成例であり、図５（ｂ）は無線子機の誤載置例である。
親機３０の載置検出部３８で検出された載置状態を示す載置情報は、その変化に応じて親機制御部３９へ出力され、ここからデータ伝送により主装置１０の制御部１５へ通知される。また、無線子機４０の状態検出部４５で検出されたオンフック／オフフック状態で示される載置情報は、その変化に応じて無線子機制御部４９へ出力され、ここから無線通信により親機３０の親機制御部３９へ通知され、上記と同様にして主装置１０の制御部１５へ通知される。
【００３６】
主装置１０の制御部１５では、親機３０および無線子機４０から通知された載置情報の通知元を比較する。そして、その通知元となる親機３０および無線子機４０の組み合わせにより、当該無線子機４０がどの親機３０に載置されているかを判断し、その対応関係を無線子機管理情報１６Ｂで管理する。
この際、親機３０および無線子機４０から通知された載置情報は、その載置状態の変化に応じて主装置１０へ通知されるため、無線子機４０を親機３０へ載置した場合、親機３０および無線子機４０からほぼ等しいタイミングで制御部１５へ届く。したがって、制御部１５では、いずれか一方の載置情報と、その一方の載置情報が届いた時点から所定時間差以内に届いた他方の載置情報とを組として比較する。これにより、他の載置状態の組と区別できる。
【００３７】
各親機３０および無線子機４０には、予め個別の識別情報が付与されており、図５（ａ）の例では、各無線子機識別情報ごとに親機識別情報が対応付けて管理されている。
例えば、図５（ｂ）のように、無線子機４０Ａが元の親機３０Ａとは異なる親機３０Ｂ上に誤載置されている場合、図５（ａ）の無線子機管理情報１６Ｂでは、無線子機４０Ａに対応する親機識別情報として「３０Ｂ」が登録される。また、この例では無線子機４０Ｂがいずれの親機３０にも載置されていない放置状態にあることから、無線子機４０Ｂに対応する親機識別情報として「放置」が登録される。
【００３８】
次に、図６を参照して、本実施の形態にかかる電話システムの動作について、異なる親機への着信に対して誤載置状態にあった無線子機で応答した際に、当該無線子機の無線電話機へ個別着信があった場合の呼処理を例として説明する。図６は本実施の形態にかかる電話システムの他の動作（誤載置状態での話中着信処理）を示すシーケンス図である。以下では、主装置と無線電話機との間の通話パスが１つの場合を例として説明する。
【００３９】
まず、前述した図４の呼処理に基づき、無線電話機２０Ｂへの個別着信を無線子機４０Ａで応答して通話している状態にあるとする（ステップ１３０）。このような状態で、無線電話機２０Ａを着信先とする個別着信があった場合（ステップ１３１）、主装置１０の制御部１５は、外線Ｉ／Ｆ部１２からの通知によりその個別着信を検出する。
この際、その着信先である無線電話機２０Ａとの間の通話パスが１つしかないことから、記憶部１６に格納されている管理情報１６Ａを参照して、その着信先である無線電話機２０Ａが通話中である場合には、その唯一の通話パスが使用されていると判断し、親機３０Ａへ話中着信を通知する（ステップ１３２）。
【００４０】
これに応じて、親機３０Ａの親機制御部３９は、その通話中着信を無線子機４０Ａへ通知する（ステップ１３３）。
これにより、無線子機４０Ａの無線子機制御部４９は、音声処理部４２を制御して、受話音声に話中着信音を加えて出力することにより、話中着信を表示する（ステップ１３４）。
【００４１】
その後、無線子機４０Ａで通話中の利用者が話中着信に気づき、その話中着信へ応答するため、その無線子機４０Ａを親機３０Ｂへ載置した場合（ステップ１４０）、無線子機４０Ａの無線子機制御部４９は、状態検出部４５からの出力に応じてオンフックを検出し（ステップ１４１）、その旨を親機３０Ａへ通知する（ステップ１４２）。これに応じて、親機３０Ａの親機制御部３９は、そのオンフックを子機オンフックとして主装置１０へ通知する（ステップ１４３）。
一方、親機３０Ｂの親機制御部３９は、載置検出部３８からの出力により任意の無線子機４０の載置ありを検出し（ステップ１４４）、その旨を主装置１０へ通知する（ステップ１４５）。
【００４２】
主装置１０の制御部１５では、内線Ｉ／Ｆ部１３を介して、親機３０Ａからの子機オンフック通知、および親機３０Ｂからの載置あり検出通知をそれぞれ受信し、子機オンフック通知に対する操作判定を行う（ステップ１５０）。
この場合、いずれか一方の通知と、その一方の通知が受信された時点から所定時間差以内に受信された他方の通知とを組として、操作判定を行う。すなわち所定時間差以内で続けて受信された子機オンフック通知と載置あり検出通知とを判定対象とする。これにより、他の通知の組と区別できる。なお、この所定時間差は、両通知の所要時間差から、当該電話システムに固有の値として選択される。
【００４３】
この操作判定では、まず、これら通知を受信した内線伝送路１７の内線Ｉ／Ｆ部１３での収容位置に基づき、それぞれの通知の通知元を判定する。この場合には、載置あり通知の通知元が親機３０Ｂであると判定され、子機オンフック通知の通知元が親機３０Ａであると判定される。
そして、記憶部１６の管理情報１６Ａを参照して、子機オンフック通知の通知元親機３０Ａの無線子機４０Ａが、異なる親機３０Ｂへ誤載置されたと判断するとともに、親機３０Ａが通話状態にあることから、無線子機４０Ａのオンフック操作が無線電話機２０Ａでの通話に対する終話操作であると判断する。
【００４４】
これにより制御部１５は、当該通話に対応する電話回線１１を切断するとともに、スイッチ１４を制御して親機３０Ａへの通話パスを切断して終話処理する（ステップ１５１）。また、親機３０Ａに対して終話を通知するとともに（ステップ１５２）、親機３０Ｂに対して通話終了を通知する（ステップ１５４）。
親機３０Ａの親機制御部３９では、この終話通知に応じて無線子機４０Ａへ回線解放を通知し（ステップ１５３）、無線子機４０Ａとの通話パスを切断するとともに、主装置１０との通話パスも切断する。
また、親機３０Ｂの親機制御部３９では、主装置１０からの通話終了通知に応じて、終話されたことを表示する（ステップ１５５）。
【００４５】
そして、制御部１５は、無線子機４０Ａのオンフックに応じて無線電話機２０Ａでの通話が終了したことから、親機３０Ａへの話中着信ではなく通常の着信を通知する（ステップ１５６）。これにより、親機４０Ａで、通常の着信表示が行われる（ステップ１５７）。
【００４６】
このように、異なる親機への着信を当該親機に載置されていた無線子機へ接続した後、その無線子機の無線電話機への着信があった場合、その無線電話機へ話中着信を通知するようにしたので、主装置とその無線電話機との間の通話パスが１つしかなく、かつ当該無線子機で異なる親機への着信へ応答して唯一の通話パスが使用されている場合でも、当該無線子機の元の無線電話機への着信を話中着信として知ることができ、その終話に応じて元の無線電話機への着信へ応答できる。
【００４７】
以上では、主装置１０と無線電話機２０Ａとの間の通話パスが１つの場合を例として説明したが、通話パスが複数あり、いずれかの通話パスが利用可能な状態にある場合、主装置１０の制御部１５で、上記の話中着信に代えて通常の着信をその着信先である親機３０Ａへ通知してもよい。これにより、親機３０Ａの音声処理部３３が持つスピーカホン機能を用いてその着信へ応答でき、無線子機４０Ａが他の親機３０Ｂへの着信に応答中の場合でも、無線電話機２０Ａへの着信に対して親機３０Ａで応答して通話を行うことができる。
【００４８】
なお、以上では、内線電話機として無線電話機２０Ａ〜２０Ｎが主装置１０に接続されている場合を例として説明したが、これら無線電話機以外に一般的な内線電話機が接続されている電話システムにも、上記と同様にして、本発明を実施することができる。
また、電話回線１１としては、アナログ電話回線に限定されるものではなく、ＩＳＤＮ回線のほか、ＶｏＩＰ回線を外線Ｉ／Ｆ部１２で終端接続する電話システムであってもよい。
【００４９】
【発明の効果】
以上説明したように、本発明は、無線子機に、利用者による親機からの当該無線子機の取り上げをオフフック状態として検出する状態検出部と、この状態検出部でのオフフック状態の検出に応じて親機へ無線回線を介してオフフック検出を通知する無線子機制御部とを設けるとともに、親機に、利用者による当該親機への無線子機の載置有無を検出する載置検出部と、この載置検出部での載置なし検出に応じて主装置へ内線伝送路を介して載置なし検出を通知するとともに、無線回線を介した無線子機からのオフフック検出の通知に応じて主装置へ内線伝送路を介して子機オフフックを通知する親機制御部とを設け、主装置の制御部で、内線伝送路を介して載置なし検出通知および子機オフフック通知を受信した場合、載置なし検出通知の通知元親機が電話回線から着信中の際には、当該着信へ応答してその電話回線と載置なし検出通知の通知元親機との間を接続するようにしたものである。
【００５０】
また、無線子機に、利用者による親機からの当該無線子機の取り上げをオフフック状態として検出する状態検出部と、この状態検出部でのオフフック状態の検出に応じて親機へ無線回線を介してオフフック検出を通知する無線子機制御部とを設けるとともに、親機に、無線回線を介した無線子機からのオフフック検出の通知に応じて主装置へ内線伝送路を介して子機オフフックを通知する親機制御部を設け、主装置の制御部で、内線伝送路を介して受信した子機オフフック通知が着信への応答操作を示す場合は、子機オフフック通知の通知元親機を介して当該親機と対となる無線子機へ着信を接続するようにしたものである。
したがって、親機に対して異なる親機と対となる無線子機が誤載置されている状態で、当該親機に着信があった場合でも、当該親機に誤載置されている無線子機でその着信へ応答することができる。
【図面の簡単な説明】
【図１】本発明の一実施の形態にかかる電話システムの構成を示すブロック図である。
【図２】親機の構成を示すブロック図である。
【図３】無線子機の構成を示すブロック図である。
【図４】本実施の形態にかかる電話システムの動作（誤載置状態での着信処理）を示すシーケンス図である。
【図５】無線子機管理情報の構成例である。
【図６】本実施の形態にかかる電話システム他の動作（誤載置状態での話中着信処理）を示すシーケンス図である。
【図７】従来の電話システムの動作（誤載置）を示すシーケンス図である。
【符号の説明】
１０…主装置、１１…電話回線、１２…外線Ｉ／Ｆ部、１３…内線Ｉ／Ｆ部、１４…スイッチ、１５…制御部、１６…記憶部、１６Ａ…管理情報、１６Ｂ…無線子機管理情報、１７…内線伝送路、２０，２０Ａ，２０Ｂ，〜，２０Ｎ…無線電話機、３０，３０Ａ，３０Ｂ，〜，３０Ｎ…親機、３１…内線Ｉ／Ｆ部、３２…無線Ｉ／Ｆ部、３３…音声処理部、３４…表示部、３５…キー入力部、３６…記憶部、３７…給電部、３７Ａ…充電端子、３８…載置検出部、３９…親機制御部、４０，４０Ａ，４０Ｂ，〜，４０Ｎ…無線子機、４１…無線Ｉ／Ｆ部、４２…音声処理部、４３…電池、４４…充電部、４４Ａ…充電端子、４５…状態検出部、４６…記憶部、４７…表示部、４８…キー入力部、４９…無線子機制御部。
【図１】
2004253862.tif 000003
【図２】
2004253862.tif 000004
【図３】
2004253862.tif 000005
【図４】
2004253862.tif 000006
【図５】
2004253862.tif 000007
【図６】
2004253862.tif 000008
【図７】
2004253862.tif 000009